(57)【特許請求の範囲】
【請求項１】
長方形状に形成され、被搬送者が長辺方向に対して平行に身体を寝かせられる布製の担架本体と、
前記担架本体の一方の長辺側縁の両端側にそれぞれ設けられた背負いベルト体と、
前記担架本体の他方の長辺側縁の両端側にそれぞれ設けられた一対の第１の係止部材と、
を備え、
前記背負いベルト体は、一対の背ベルトと肩掛けベルトで構成され、
前記一対の一方の背ベルトの一端が前記担架本体の一方の長辺側縁の端側に接続されると共に当該背ベルトの他端には第２の係止部材が設けられ、前記一対の他方の背ベルトの一端が搬送者の身体が入る程度で胴体部分左右の幅程度の間隔を置いて各々取り付けられると共に当該背ベルトの他端には第２の係合部材が設けられ、
前記第２の係合部材と前記第２の係止部材が前記搬送者の背中側で係脱可能であり、
前記肩掛けベルトの一端が前記第２の係止部材に接続され、他端が前記第１の係合部材に接続され、
前記背負いベルト体は、前記担架本体の一方の長辺側縁で２人の搬送者が被搬送者に横に並んだ状態で各々前記一方の背ベルトと前記他方の背ベルトを前記搬送者の背中側で前記第２の係止部材と前記第２の係合部材で係合し、前記第２の係止部材に接続する前記肩掛けベルトを背中側から肩を通した状態で、前記第1の係合部材を前記第1の係止部材に係止可能としたことを特徴とする携帯用簡易担架。
【請求項２】
前記担架本体の他方の長辺側縁の、両端側にそれぞれに設けられた前記第１の係止部材の内側に、２人の搬送者用にそれぞれ取っ手部を設けたことを特徴とする請求項１記載の携帯用簡易担架。
【請求項３】
前記担架本体の周縁全体及び前記担架本体の両方の長辺側縁間を結ぶ複数の箇所に、補強部材が縫い付けられたことを特徴とする請求項１又は２記載の携帯用簡易担架。
【請求項４】
前記担架本体の他方の長辺側縁の、両端側にそれぞれに設けられた前記第１の係止部材の内側に、２人の搬送者用にそれぞれ取っ手部を設け、
前記担架本体の周縁全体及び前記担架本体の両方の長辺側縁間を結ぶ複数の箇所に、補強部材が縫い付けられ、
前記担架本体の両方の長辺側縁間を結ぶ複数の箇所に縫いつけられた前記補強部材と、前記取っ手部及び又は前記背ベルトとが同じ部材で構成されることを特徴とする請求項１記載の携帯用簡易担架。
【請求項５】
長方形に形成された布製の担架本体と、前記担架本体の一方の長辺側縁の両端側にそれぞれ設けられた、一対の背ベルトと肩掛けベルトで構成される背負いベルト体と、前記担架本体の他方の長辺側縁の両端側にそれぞれ設けられた一対の第１の係止部材とを備えた簡易担架の使用方法であって、
前記一対の一方の背ベルトの一端が前記担架本体の一方の長辺側縁の端側に接続されると共に当該背ベルトの他端には第２の係止部材が設けられ、前記一対の他方の背ベルトの一端が搬送者の身体が入る程度で胴体部分左右の幅程度の間隔を置いて各々取り付けられると共に当該背ベルトの他端には第２の係合部材が設けられて、前記第２の係合部材と前記第２の係止部材が前記搬送者の背中側で係脱可能であり、前記肩掛けベルトの一端が前記第２の係止部材に接続され、他端が前記第１の係合部材に接続されるものであり、
被搬送者が前記担架本体の長辺方向に対して平行に寝かせられた状態で、前記担架本体の一方の長辺側で、２人の搬送者が横に並んだ状態で、前記背負いベルト体の前記一方の背ベルトと前記他方の背ベルトを前記搬送者の背中側で前記第２の係止部材と前記第２の係合部材で係合し、前記第２の係止部材に接続する前記肩掛けベルトを背中側から肩を通した状態で、前記第１の係合部材が前記第１の係止部材に係止され、前記他方の長辺側縁の、前記２つの第1の係止部材の内側に設けられた２人の搬送者用のそれぞれの取っ手部が引き上げられて被搬送者が前記担架本体内に包み込まれて抱きかかえられ、２人の搬送者が被搬送者の横に並んで前記取っ手部を掴んだ手が被搬送者の片側に対して向かい合うような正対した状態で搬送可能としたことを特徴とする簡易担架の使用方法。
【発明の詳細な説明】
【技術分野】
【０００１】  本発明は、急病人、身体の不自由な人、寝たきりの高齢者など歩行が困難な人を、移動、搬送する場合に使用する携帯用簡易担架に関するものである。
【背景技術】
【０００２】  従来、急病人、身体の不自由な人、寝たきりの高齢者など歩行が困難な人を、移動、搬送する担架には、長いパイプや棒が使われているため、被搬送者を運ぶ場合、狭い通路や階段では曲がることが困難であり、また未使用時の収納場所の確保も困難であり、更に乗用車での利用も困難であった。【０００３】  このような長いパイプや棒が使われる担架の問題点を解決するものとして、未使用時に折りたたみできる方形の布からなる担架本体の左右や前後に、肩掛けベルトや取っ手を取り付けて構成し、方形の布に被搬送者を仰向けに寝かせた状態で、肩掛けベルトや取っ手を使って持ち上げて、移動、搬送する携帯用簡易担架が利用されている。【０００４】  このような携帯用簡易担架としては、被搬送者の尻部及び腰部を支持する方形の布体の左右側部に一対の背負いベルトを備え、１人で一対のベルトを背負って被搬送者を抱えて搬送するタイプのもの（例えば、特許文献１、２参照）、被搬送者の尻部及び腰部を支持する方形の布体の左右側部に一対の背負いベルトを備えると共に四隅に取っ手を備え、布体の左右に１人ずつ立ち、２人で一対のベルトをそれぞれ背負い、更に四隅の取っ手をつかんで被搬送者を抱えて搬送するタイプのもの（例えば、特許文献３、４参照）、被搬送者の全身を支持する方形の布体の前後両端部に一対の肩掛けベルトを備えると共に両長辺の外縁部にそれぞれ一対の手持ちハンドルを備え、前後に１人ずつ立ち、２人で一対のベルトをそれぞれ背負い、更に一対の手持ちハンドルをつかんで被搬送者を抱えて搬送するタイプのもの（例えば、特許文献５参照）がある。
【特許文献１】  特開２００５−２８８１０３号公報
【特許文献２】  特開２００５−３３４３４７号公報
【特許文献３】  特開２００３−３８５７５号公報
【特許文献４】  実用新案登録第３１０８１９０号公報
【特許文献５】  特開２００４−１８１１０２号公報
【発明の開示】
【発明が解決しようとする課題】
【０００５】  特許文献１，２に示されたものは、１人で被搬送者を抱き上げ且つ移動、搬送しなければならないため、搬送者にとって重労働であり、かなり腕力のある者でなければ抱き上げることもできないため、長距離の搬送は困難を伴うものであった。【０００６】  特許文献３，４に示されたものは、被搬送者を２人の搬送者が左右両側から挟み、搬送者が両側に並ぶため狭い通路の移動が困難であり、またベットを挟んで抱えることになるため、ベットの前後に搬送者の通るスペースがない場合はベットを踏み越えなければならないため不安定で危険であり、さらに清潔を必要とするベットを他人に踏まれることは不快を感じるものであった。【０００７】  特許文献５に示されたものは、被搬送者を２人の搬送者が上下両側から挟むため、複雑な通路の移動や狭いエレベータへの乗り込みが困難であった。【０００８】  更に、特許文献１〜５のいずれのタイプの携帯用簡易担架にあっても、被搬送者の関節が曲がった状態で搬送することになってしまうため、身体に硬直のある場合や痛みがあり関節を曲げることが困難な被搬送者の場合は、被搬送者は苦痛を伴うため、実際には搬送は困難であった。【０００９】  本発明は、被搬送者の苦痛を最小限に抑えられるように体をほぼ真っ直ぐのまま抱き上げることができると共に搬送者が安定且つ安全に搬送することができ、さらに狭い通路や階段でも容易に移動、搬送することができる携帯用簡易担架を提供することを目的とする。
【課題を解決するための手段】
【００１０】
上記目的を達成するため、本発明は、携帯用簡易担架において、長方形状に形成され、被搬送者が長辺方向に対して平行に身体を寝かせられる布製の担架本体と、担架本体の一方の長辺側縁の両端側にそれぞれ設けられた背負いベルト体と、担架本体の他方の長辺側縁の両端側にそれぞれ設けられた一対の第１の係止部材と、を備え、背負いベルト体は、一対の背ベルトと肩掛けベルトで構成され、一対の一方の背ベルトの一端が担架本体の一方の長辺側縁の端側に接続されると共に当該背ベルトの他端には第２の係止部材が設けられ、一対の他方の背ベルトの一端が搬送者の身体が入る程度で胴体部分左右の幅程度の間隔を置いて各々取り付けられると共に当該背ベルトの他端には第２の係合部材が設けられ、第２の係合部材と第２の係止部材が搬送者の背中側で係脱可能であり、肩掛けベルトの一端が第２の係止部材に接続され、他端が第１の係合部材に接続され、背負いベルト体は、担架本体の一方の長辺側縁で２人の搬送者が被搬送者に横に並んだ状態で各々一方の背ベルトと他方の背ベルトを搬送者の背中側で第２の係止部材と第２の係合部材で係合し、第２の係止部材に接続する肩掛けベルトを背中側から肩を通した状態で、第1の係合部材を第1の係止部材に係止可能としたことを特徴とする。
【００１２】
本発明は、上記携帯用簡易担架において、担架本体の他方の長辺側縁の、両端側にそれぞれに設けられた第１の係止部材の内側に、２人の搬送者用にそれぞれ取っ手部を設けたことを特徴とする。
【００１３】
本発明は、上記携帯用簡易担架において、担架本体の周縁全体及び担架本体の両方の長辺側縁間を結ぶ複数の箇所に、補強部材が縫い付けられたことを特徴とする。
【００１４】
本発明は、上記携帯用簡易担架において、担架本体の他方の長辺側縁の、両端側にそれぞれに設けられた第１の係止部材の内側に、２人の搬送者用にそれぞれ取っ手部を設け、担架本体の周縁全体及び担架本体の両方の長辺側縁間を結ぶ複数の箇所に、補強部材が縫い付けられ、担架本体の両方の長辺側縁間を結ぶ複数の箇所に縫いつけられた補強部材と、取っ手部及び又は背ベルトとが同じ部材で構成されることを特徴とする。
また、本発明は、簡易担架を用いた使用方法において、長方形に形成された布製の担架本体と、担架本体の一方の長辺側縁の両端側にそれぞれ設けられた、一対の背ベルトと肩掛けベルトで構成される背負いベルト体と、担架本体の他方の長辺側縁の両端側にそれぞれ設けられた一対の第１の係止部材とを備えた簡易担架の使用方法であって、一対の一方の背ベルトの一端が担架本体の一方の長辺側縁の端側に接続されると共に当該背ベルトの他端には第２の係止部材が設けられ、一対の他方の背ベルトの一端が搬送者の身体が入る程度で胴体部分左右の幅程度の間隔を置いて各々取り付けられると共に当該背ベルトの他端には第２の係合部材が設けられて、第２の係合部材と第２の係止部材が搬送者の背中側で係脱可能であり、肩掛けベルトの一端が第２の係止部材に接続され、他端が第１の係合部材に接続されるものであり、被搬送者が担架本体の長辺方向に対して平行に寝かせられた状態で、担架本体の一方の長辺側で、２人の搬送者が横に並んだ状態で、背負いベルト体の一方の背ベルトと他方の背ベルトを搬送者の背中側で第２の係止部材と第２の係合部材で係合し、第２の係止部材に接続する肩掛けベルトを背中側から肩を通した状態で、第１の係合部材が第１の係止部材に係止され、他方の長辺側縁の、２つの第1の係止部材の内側に設けられた２人の搬送者用のそれぞれの取っ手部が引き上げられて被搬送者が担架本体内に包み込まれて抱きかかえられ、２人の搬送者が被搬送者の横に並んで取っ手部を掴んだ手が被搬送者の片側に対して向かい合うような正対した状態で搬送可能としたことを特徴とする。
【発明の効果】
【００１５】  担架本体として、長方形状に形成されたやわらかい布製のものを使用したことで、被搬送者に不快を感じさせることない。また被搬送者を乗せる際には嵩張らず扱い易いため、日常のシーツ交換の要領で被搬送者を担架本体に容易に乗せることができ、また、被搬送者の体にあわせてしっかりと抱きかかえることができるので、階段や板など斜めになっても被搬送者が滑り落ちる心配がない。また、折りたたみが容易でコンパクトにできることから、収納がし易く、乗用車等に携帯する際にも邪魔にならず運搬も容易である。【００１６】  また、２人の搬送者が担架本体の一方の長辺側に横に並び被搬送者に正対した状態で、被搬送者を担架本体内に包むように抱き抱えることで、被搬送者の体がほぼ真っ直ぐの状態で搬送することができるため、意識レベルの低い人や首の力のない人などでも安全に抱きかかえることができ、膝や腰を曲げられない人や痛みのため曲げることが困難な人でも苦痛を最小限に抑えながら不安を感じさせること無く抱きかかえ搬送することができる。また２人の搬送者が横に並ぶことで幅をとらないため、狭い通路や階段などの移動も容易である。【００１７】  また、担架本体の長辺側縁の両端側にそれぞれ設けられた背負いベルト体を搬送者の背中及び肩を通し、先端の第１の係合部材を担架本体の他方の長辺側縁の両端側にそれぞれ設けられた第１の係合部材と係脱可能な一対の第１の係止部材に係止するといった簡単な操作により、被搬送者を担架本体内に包み込むと共に２人の搬送者と背負いベルト体の内側に保持でき、結果、２人の搬送者は背中と肩を中心に手を使わなくとも上半身全体で被搬送者を抱えることができるので、搬送者が誤って手を離した場合や壁等に掴まるために手を離した場合でも、被搬送者が担架本体から転落することがない。したがって、搬送者は安定且つ安全に搬送することができる。【００１８】  また、ベットの長辺方向の一方側でのみ被搬送者を担架本体に乗せ抱きかかえる作業を行うことができることで、ベットの他方側に壁等によりスペースが無いような場所においても容易に作業を行うことができ、またベットを踏み越えることもないため安全且つ清潔に作業を行うことができる。【００１９】  また、２人の搬送者が担架本体の一方の長辺側に横に並び被搬送者に正対した状態で、それぞれが両端側に設けられる一対の背ベルト間に立ち、その状態で、背中側で第２の係合部材と第２の係止部材を係止させることで、２人分の一対の背ベルトの担架本体の長辺側縁への所定間隔を置いた接続部により、被搬送者の重量を４点で分散して支持できると共に２人の搬送者はそれぞれ担架本体に一対の背ベルト内でしっかり保持されることになる。これにより被搬送者の体格が大きい場合であっても、被搬送者の身体が担架本体内で屈曲して落ち込むことを最小限に抑え、被搬送者の体がほぼ真っ直ぐの状態で搬送することができると共に腕力が弱い搬送者であっても安定且つ安全に搬送することができる。【００２０】  さらに第１の係止部材の内側に、２人の搬送者用にそれぞれ取っ手部を設けることで、曲がりやすい腰部をしっかりと支えられ、また搬送者は取っ手部を握り被搬送者の上側から体に近づけるように引き上げることができると共に被搬送者の重量を分散して支持できるため、腕力が弱い人でも抱え易くなる。また２人の搬送者は内側の手で取っ手部を掴み、外側の手でそれぞれ頭部、脚部を抱えることで、更に搬送者は安定且つ安全に搬送することができる。【００２１】  担架本体の周縁全体及び担架本体の両方の長辺側縁間を結ぶ複数の箇所に、補強部材が縫い付けらていることで、被搬送者の体が担架本体内で屈曲して落ち込むことを抑えることができ、支持性も高まり搬送時の安定性を高めることができる。また、担架本体の両方の長辺側縁間を結ぶ複数の箇所に縫いつけられた補強部材と、取っ手部及び又は背ベルトとを同じ部材で構成することで、部品点数を減らすことができると共に、更に被搬送者の体が担架本体内で屈曲して落ち込むことを抑えることができ、支持性も高まり搬送時の安定性を高めることができる。
【発明を実施するための最良の形態】
【００２２】  以下、本発明の実施の形態を図１〜図４に基づいて詳しく説明する。【００２３】  図１は携帯用簡易担架の平面図、図２は携帯用簡易担架を被搬送者の下に敷いた状態の説明図、図３は搬送者が背負いベルト体を装着した状態を背面側から見た図、図４は搬送者が被搬送者を抱き上げた状態を正面側から見た図である。【００２４】  担架本体１は布製で、図１，図２に示すように被搬送者Ｍが長辺方向に対して平行に寝かせられるように長方形状に形成されている。例えば長辺は９０〜１３０ｃｍの範囲、短辺は４５〜８５ｃｍの範囲で適宜形成される。担架本体１は、多少の強度があり嵩張らずやわらかい布材、例えばシーツに用いられているような素材を用いることで扱い易く、医療や介護の現場で通常行われているシーツ交換の要領作業を行なうことができるため、被搬送者を乗せる際の、搬送者及び被搬送者の負担を少なくすることが出来る。また、被搬送者の体にあわせてしっかりと抱きかかえることができるので、階段や坂など斜めになっても被搬送者が滑り落ちる心配がない。また、折りたたみが容易でコンパクトにできることから、収納がし易く、乗用車等に携帯する際にも邪魔にならず運搬も容易である。【００２５】  担架本体１には、搬送に必要な強度を確保する為に、図１に示すように、周縁全体に外縁補強部材１２Ａ，１２Ｂ，１３Ａ，１３Ｂが、両方の長辺側縁間を結ぶ複数の箇所に補強部材１４Ａ，１４Ｂ，１４Ｃ，１４Ｄが縫合され、重なり合う部分は特に頑丈に縫合されている。補強部材１４Ａ，１４Ｂ，１４Ｃ，１４Ｄと外縁補強部材１３Ａ，１３Ｂは、ほぼ等間隔に配置される。補強部材としては、例えば車両用シートベルトに用いられている強度のあるナイロン製のベルトが望ましいが、強度が確保できるものであれば、適宜のものを用いることができる。【００２６】  図１に示すように、担架本体１の一方の長辺側縁の両端側にはそれぞれ、背負いベルト体Ａ，Ｂが備えられる。各背負いベルト体Ａ，Ｂは、一端が担架本体１の側縁に接続されると共に他端に第１の係合部材８Ａ，８Ｂを備えている。担架本体の他方の長辺側縁の両端側にはそれぞれ、接続ベルト１０Ａ，１０Ｂを介して第１の係合部材８Ａ，８Ｂと係脱可能な一対の第１の係止部材９Ａ，９Ｂが備えられている。【００２７】  なお、第１の係止部材９Ａ，９Ｂは、接続ベルト１０Ａ，１０Ｂを介して担架本体１の側縁に接続しても良いが、接続ベルト１０Ａ，１０Ｂを介さず担架本体１の側縁に直接設けても良い。また、第１の係合部材８Ａ，８Ｂと第１の係止部材９Ａ，９Ｂは、逆に設けて使用することも可能である。【００２８】  各背負いベルト体Ａ、Ｂは、図１に示すように、一端が担架本体の一方の長辺側縁に搬送者Ｍの身体が入る程度の間隔を置いて取り付けられると共に、他端に第２の係合部材５Ａ，５Ｂ及び第２の係合部材５Ａ，５Ｂと係脱可能な一対の第２の係止部材４Ａ，４Ｂを備えた一対の背ベルト２Ａ，３Ａ，２Ｂ，３Ｂと、一端に背ベルト２Ａ，３Ａ，２Ｂ，３Ｂの第２の係止部材４Ａ，４Ｂが接続され、他端に第１の係合部材８Ａ，８Ｂを接続した肩掛けベルト６Ａ，６Ｂとから構成される。【００２９】  搬送者Ｕａ，Ｕｂの身体が入る程度の間隔を置いて担架本体��一方の長辺側縁に取り付けられた一対の背ベルト２Ａ・３Ａ、２Ｂ・３Ｂは、搬送者の胴体部分左右の幅と同じくらい、例えば３５ｃｍ〜４５ｃｍ程度の間隔で取り付けることで、被搬送者を抱き上げ搬送する際の担架本体の長辺方向のたわみを抑えることができる。【００３０】  さらに、図１に示すように、一対の背ベルト２Ａ・３Ａ、２Ｂ・３Ｂをそれぞれ搬送者の背面中央部分に向かうようにやや角度をつけて設けることで、背ベルト２Ａ，２Ｂ，３Ａ，３Ｂへの偏った負荷と外縁補強部材１２Ａ，１２Ｂ，１３Ａ，１３Ｂとの縫合部分への偏った負担を抑えることができ、縫合部分の破損を防ぐことができる。この間隔と角度で背ベルト２Ａ，２Ｂ，３Ａ，３Ｂを設けることにより、被搬送者が苦痛を感じたり不安定になることがなく、搬送者Ｕａ，Ｕｂも安定した状態で被搬送者を抱えることができる。また、背ベルト２Ａ，２Ｂ，３Ａ，３Ｂには適宜長さ調節機構を備えることも可能である。【００３１】  図３，図１に示すように一対の背ベルト２Ａ・３Ａ、２Ｂ・３Ｂは、第２の係止部材４Ａ・４Ｂと第２の係合部材５Ａ・５Ｂでそれぞれ連結され、さらに、第２の係止部材４Ａ，４Ｂには、長さ調節機構７Ａ，７Ｂを備えた肩掛けベルト６Ａ，６Ｂが接続されている。肩掛けベルト６Ａ，６Ｂの先端には第１の係合部材８Ａ，８Ｂが設けられ、担架本体１の他方の長辺側縁に接続ベルト１０Ａ，１０Ｂを介して設けられた第１の係止部材９Ａ，９Ｂに連結する仕様になっている。【００３２】  第２の係止部材４Ａ，４Ｂはリング状で、第２の係合部材５Ａ，５Ｂはフック状の被搬送者を抱えるために十分な強度をもつ金具で構成・連結される。第１の係合部材８Ａ，８Ｂ、第１の係止部材９Ａ，９Ｂは車両用シートベルトに用いられるバックルとタングプレートが用いることができる。なお、それぞれの係合部材、係止部材の形状と材質は、強度が確保できるものであれば、適宜のものを用いることができる。【００３３】  また肩掛けベルト６Ａ，６Ｂは、図３に示したような掛け方の他、被搬送者の身長が高い場合などは、被搬送者の担架本体からはみ出している部分を抱えやすいように、搬送者Ｕａ，Ｕｂのどちらか１名又は２名ともが、図３とは反対側の肩に掛けるなど、被搬送者の体型に応じてかえることができる。【００３４】  ２人の搬送者Ｕａ，Ｕｂが担架本体１の一方の長辺側に横に並び被搬送者Ｍに正対した状態で、それぞれが両端側に設けられる一対の背ベルト２Ａ・３Ａ，２Ｂ・３Ｂ間に立ち、その状態で、背中側で第２の係合部材５Ａ，５Ｂと第２の係止部材４Ａ，４Ｂを係止させることで、２人分の一対の背ベルトの担架本体の長辺側縁への所定間隔を置いた接続により、被搬送者の重量を４点で分散して支持できると共に、２人の搬送者Ｕａ，Ｕｂはそれぞれ担架本体１に一対の背ベルト２Ａ・３Ａ，２Ｂ・３Ｂ内でしっかり保持されることになる。【００３５】  図２に示すように担架本体への被搬送者Ｍの位置は、臀部が本体に納まる位置にしなければ本発明の効果は得られない。また、背負いベルト体Ａ，Ｂの設けられている外縁補強部材１２Ａになるべく近い位置に被搬送者Ｍを寝かせ、図４に示すように搬送者Ｕａ，Ｕｂの腹部の高さで抱きかかえる形になるように、��節機構７Ａ，７Ｂを用いて長さを調節することで、搬送者Ｕａ，Ｕｂの抱きかかえやすい腹部の高さで被搬送者Ｍをしっかりと抱きかかえることができる。【００３６】  図４に示すように、搬送者Ｕａ，Ｕｂは担架本体の中央よりにある取っ手１１Ａ，１１Ｂをそれぞれ持ち、もう片方の手で被搬送者の頭部、脚部をそれぞれ抱え搬送する。取っ手部１１Ａ，１１Ｂは、担架本体反対側に設けられた背ベルト３Ａ，３Ｂとそれぞれ対向するような位置に設けてある。取っ手部１１Ａは補強部材１４Ａ，１４Ｂと、取っ手部１１Ｂは補強部材１４Ｃ，１４Ｄと一体のベルトで構成されることで、背ベルト３Ａ，３Ｂにかかる重量を支持でき、しっかりと抱き抱えることができる。【００３７】  また、両方の長辺側縁間を結ぶ複数の箇所に縫合された補強部材１４Ａ，１４Ｂ，１４Ｃ，１４Ｄと外縁補強部材１３Ａ，１３Ｂは、図１に示すように、ほぼ等間隔で配置されると共に、これら補強部材に対し取っ手部１１Ａ，１１Ｂと接続ベルト１０Ａ，１０Ｂを介して第１の係止部材９Ａ，９Ｂが設けられることで、被搬送者の体が担架本体内で屈曲して落ち込むことを抑えることができると共に被搬送者の重量を６点で分散して支持できる。【００３８】  また、図３のように、背負いベルト体Ａ，Ｂを搬送者の背面で装着し、肩を通し担架本体の他方に係止するといった簡単な操作により、図４のように被搬送者を２人の搬送者の正面に、担架本体の内側に包み込むようなかたちで保持でき、２人の搬送者は背中と肩を中心に上半身全体で被搬送者を抱えることができるので、搬送者が誤って手を離した場合や壁等に掴まるために手を離した場合でも、被搬送者が担架本体から転落することがなく、搬送者は安定且つ安全に搬送することができる。【００３９】  背負いベルト体Ａ，Ｂと接続ベルト１０Ａ，１０Ｂ，取っ手部１１Ａ，１１Ｂは、外縁補強部材１２Ａ，１２Ｂ，１３Ａ，１３Ｂや補強部材１４Ａ，１４Ｂ，１４Ｃ，１４Ｄと同じく、車両用シ−トベルトに用いられている強度のあるナイロン製のベルト素材を用い一体又は縫合されているが、強度が確保できるものであれば適宜のものを用いることができる。【００４０】  また、上記のような実施形態のほか、外縁補強部材１２Ａ，１２Ｂ，１３Ａ，１３Ｂ、補強部材１４Ａ，１４Ｂ，１４Ｃ，１４Ｄと一体又は接合される背ベルト、肩掛けベルト、取っ手部は、取っ手部を被搬送者の左右に設けたり肩掛けベルトを２本にするなど幾通りか考えられるが、様々な体型の被搬送者を搬送するものとしては、本発明の実施の形態が最良のものと思われる。また背ベルトの形態も、１本のベルトで構成されるものや長さ調節機構を設けたり、本体側に着脱機構を設けるものなどが考えられたが、使い易さなどの面から本発明の実施形態が最適と思われる。【００４１】  現在出願人が使用しているものは、担架本体が長辺約１１０ｃｍ、短辺約６５ｃｍのもので、身長１８０ｃｍ以上体重約８０ｋｇ以上の被搬送者まで搬送することができた。【００４２】  上述したように、担架本体１に対し、一方の長辺側縁に背負いベルト体Ａ，Ｂの背ベルト２Ａ，３Ａ，２Ｂ，３Ｂを、他方の長辺側縁に取っ手部１１Ａ，１１Ｂと接続ベルト１０Ａ，１０Ｂを介して第１の係止部材９Ａ，９Ｂを、両方の長辺側縁間を結ぶ内部に補強部材１４Ａ，１４Ｂ，１４Ｃ，１４Ｄと外縁補強部材１２Ａ，１２Ｂ，１３Ａ，１３Ｂを、バランス良く配置することで、これにより被搬送者の体格が大きい場合であっても、被搬送者Ｍの身体が担架本体１内で屈曲して落ち込むことを最小限に抑え、被搬送者の体がほぼ真っ直ぐの状態で搬送することができると共に分散支持により腕力が弱い搬送者であっても安定且つ安全に搬送することができる。【００４３】以下に本発明の簡易担架の使用方法について説明する。【００４４】（１）搬送者Ｕａ，Ｕｂが被搬送者を医療や介護の現場で通常行われているシーツ交換の要領で、被搬送者を搬送者に背を向ける側臥位にし、担架本体１の短辺の中央より半分の取っ手部１１Ａ，１１Ｂが設けられている側を被搬送者の体の下に入れ込むようにし、背負いベルト体Ａ，Ｂ側は手前に広げ、次に、被搬送者を搬送者の方を向く側臥位にし、被搬送者の体の下に入れ込んだ取っ手部１１Ａ，１１Ｂ側を広げ、その後被搬送者を仰臥位にし、図２に示すような状態にする。【００４５】（２）次に、背負いベルト体Ａ，Ｂが設けられている担架本体の一方の長辺側に、搬送者２名が被搬送者の方を向いて一対の背ベルト２Ａと３Ａ、２Ｂと３Ｂの間にそれぞれ入るように並び、第２の係止部材４Ａ，４Ｂと第２の係合部材５Ａ，５Ｂを用い、それぞれ背中側で係止操作により連結する。【００４６】（３）第２の係止部材４Ａ，４Ｂに結合された、調節機構７Ａ，７Ｂを備えた肩掛けベルト６Ａ，６Ｂを背中側から肩に掛け、第１の係合部材８Ａ，８Ｂと、担架本体１の他方の長辺側の第１の係止部材９Ａ，９Ｂを用いそれぞれを係止操作により連結し、被搬送者を搬送者の腹部の高さでしっかりと抱きかかえることができるよう調節機構７Ａ，７Ｂを用い長さを調節する。この一対の背ベルト及び一対の肩掛けベルトの連結により、２人の搬送者は、背中と肩を中心に手を使わなくとも上半身だけで被搬送者を抱えることができる。肩掛けベルト６Ａ，６Ｂは図３に示すように、２人並んだ搬送者の外側の肩を通るように掛ける他、被搬送者の身長が高い場合は内側の肩に掛けるなど、被搬送者の体型に応じそれぞれかえることができる。【００４７】
（４）図４に示すように、２人並んだ搬送者は、内側の手で、担架本体１の他方の長辺側の、第１の係止部材９Ａ，９Ｂの内側に設けてあるそれぞれの取っ手部１１Ａ、１１Ｂを掴み、外側の手で担架本体１からはみ出ている被搬送者の頭部、脚部をそれぞれ抱えて、被搬送者の体をほぼ真っ直ぐの状態で持ち上げ搬送する。なお、第１の係合部材８Ａ，８Ｂと第１の係止部材９Ａ，９Ｂとの係止解除操作、第２の係止部４Ａ，４Ｂと第２の係合部材５Ａ，５Ｂの係止解除操作により、図１に示す状態に戻すことができる。
【図面の簡単な説明】
【００４８】
【図１】  携帯用簡易担架の平面図。
【図２】  携帯用簡易担架を被搬送者の下に敷いた状態の説明図。
【図３】  搬送者が背負いベルト体を装着した状態を背面側から見た図。
【図４】  搬送者が被搬送者を抱き上げた状態を正面側から見た図。
【符号の説明】
【００４９】１        担架本体
２Ａ，２Ｂ，３Ａ，３Ｂ      背ベルト
４Ａ，４Ｂ      第２の係止部材
５Ａ，５Ｂ      第２の係合部材
６Ａ，６Ｂ      肩掛けベルト
７Ａ，７Ｂ      調節機構
８Ａ，８Ｂ      第１の係合部材
９Ａ，９Ｂ      第１の係止部材
１０Ａ，１０Ｂ      接続ベルト
１１Ａ，１１Ｂ      取っ手部
１２Ａ，１２Ｂ，１３Ａ，１３Ｂ      外縁補強部材
１４Ａ，１４Ｂ，１４Ｃ，１４Ｄ      補強部材
Ａ，Ｂ    背負いベルト体
Ｍ        被搬送者
Ｕａ      搬送者ａ
Ｕｂ      搬送者ｂ
【図１】
0004221482.tif 000002
【図２】
0004221482.tif 000003
【図３】
0004221482.tif 000004
【図４】
0004221482.tif 000005